(57)【要約】【課題】紙葉類処理装置の使用環境の変化に応じて、紙葉類処理装置の構成を柔軟に変更できるようにする。【解決手段】紙葉類処理装置１は、紙葉類の投入及び排出の少なくとも一方が行われる開口１２１、１３１を有する開口部１２、１３と、複数のユニット取付部２２と、前記ユニット取付部２２のいずれか１つに着脱自在に取り付けられ、前記紙葉類を収納する収納ユニット３０と、前記ユニット取付部２２のいずれか１つに着脱自在に取り付けられ、前記紙葉類を搬送する搬送路ユニット４０と、前記開口１２１、１３１と前記収納ユニット３０との間における前記搬送路ユニット４０を介した前記紙葉類の搬送を制御する制御部１８と、を備える。【選択図】図１
2018152028.tif 000002
【特許請求の範囲】
【請求項１】
紙葉類の投入及び排出の少なくとも一方が行われる開口を有する開口部と、
複数のユニット取付部と、
前記ユニット取付部のいずれか１つに着脱自在に取り付けられ、前記紙葉類を収納する収納ユニットと、
前記ユニット取付部のいずれか１つに着脱自在に取り付けられ、前記紙葉類を搬送する搬送路ユニットと、
前記開口と前記収納ユニットとの間における前記搬送路ユニットを介した前記紙葉類の搬送を制御する制御部と、
を備える紙葉類処理装置。
【請求項２】
前記搬送路ユニットには、前記紙葉類が通過する通過口が複数形成されており、
前記搬送路ユニットは、複数の前記通過口を接続する搬送路を有する、請求項１記載の紙葉類処理装置。
【請求項３】
前記搬送路は、少なくとも１つの分岐部を有するとともに、少なくとも３つの前記通過口を接続する、請求項２記載の紙葉類処理装置。
【請求項４】
前記搬送路は、少なくとも２つの分岐部を有するとともに、少なくとも４つの前記通過口を接続する、請求項３記載の紙葉類処理装置。
【請求項５】
前記搬送路は、４つの分岐部を有するとともに、６つの前記通過口を接続する、請求項３記載の紙葉類処理装置。
【請求項６】
前記搬送路ユニットは、前記紙葉類を収納する収納領域を備え、前記搬送路から分岐した分岐路を介して前記収納領域に前記紙葉類が搬送される、請求項１乃至５のいずれかに記載の紙葉類処理装置。
【請求項７】
前記収納ユニット取付部以外に取り付けられた収納部を更に備え、
前記制御部は、前記開口及び前記収納ユニットの少なくとも一方と前記収納部との間における前記搬送路ユニットを介した紙葉類の搬送を制御する、請求項１乃至６のいずれかに記載の紙葉類処理装置。
【請求項８】
前記収納ユニットは、複数の収納領域を有する、請求項１乃至７のいずれかに記載の紙葉類処理装置。
【請求項９】
前記収納ユニットは、複数の紙葉類が積層状態で収納される積層式の収納領域、及び、複数の紙葉類が回転体に巻き取られた状態で収納される巻き取り式の収納領域の少なくとも一方を有する、請求項１乃至８のいずれかに記載の紙葉類処理装置。
【請求項１０】
紙葉類処理装置のユニット取付部に着脱自在に取り付けられる搬送路ユニットであって、
紙葉類が通過する複数の通過口を有する筐体と、
複数の前記通過口を接続する搬送路と、
を有する搬送路ユニット。
【請求項１１】
前記搬送路は、少なくとも１つの分岐部を有するとともに、少なくとも３つの前記通過口を接続する、請求項１０記載の搬送路ユニット。
【請求項１２】
前記搬送路は、少なくとも２つの分岐部を有するとともに、少なくとも４つの前記通過口を接続する、請求項１１記載の搬送路ユニット。
【請求項１３】
前記搬送路は、４つの分岐部を有するとともに、６つの前記通過口を接続する、請求項１１記載の搬送路ユニット。
【請求項１４】
前記紙葉類を収納する収納領域を更に備え、
前記搬送路から分岐した分岐路を介して前記収納領域に前記紙葉類が搬送される、請求項１０乃至１３のいずれかに記載の搬送路ユニット。
【発明の詳細な説明】
【技術分野】
【０００１】
本発明は、投入された紙葉類の内部への収納と、内部に収納された紙葉類の排出の少なくとも一方を行う紙葉類処理装置、及び当該紙葉類処理装置に着脱自在に取り付けられる搬送路ユニットに関する。
【背景技術】
【０００２】
従来、複数の収納部を有し、紙幣等の紙葉類を種類別に別々の収納部に収納することが可能な紙葉類処理装置が実用化されている。
【０００３】
このような紙葉類処理装置の例が、特許文献１に開示されている。特許文献１に開示されている紙葉類処理装置は、紙幣の収納及び繰り出しが可能な収納庫を複数備えている。
【０００４】
また、特許文献２には、入金紙幣を収納・保管し、出金紙幣等として繰り出すためのスタッカを複数備える紙葉類処理装置が開示されている。
【先行技術文献】
【特許文献】
【０００５】
【特許文献１】特開２０１７−２７１９８号公報
【特許文献２】特開２０１１−２３３０８４号公報
【発明の概要】
【発明が解決しようとする課題】
【０００６】
特許文献１に開示される紙葉類処理装置において、収納庫は紙葉類処理装置から取り外し可能とはされていない。よって、当該紙葉類処理装置は、収納庫の数が一度決定されると、その数を変更することができない。したがって、流通する紙幣の種類の数が変更された場合や、特定の種類の紙幣をそれまでよりも大量に取り扱うこととなった場合等、紙葉類処理装置の使用環境が変化しても、当該紙葉類処理装置は、そのような変化に対応することができない。
【０００７】
また、特許文献２に開示される紙葉類処理装置においては、複数個のスタッカは紙葉類処理装置に対して着脱可能であるものの、保守や紙幣の再充填のために着脱されるに過ぎない。そのため、上記のような紙葉類処理装置の使用環境の変化に対応することができるものではない。
【０００８】
本発明は、紙葉類処理装置の使用環境の変化に応じて、紙葉類処理装置の構成を柔軟に変更できるようにすることを課題とする。
【課題を解決するための手段】
【０００９】
本発明に係る紙葉類処理装置は、紙葉類の投入及び排出の少なくとも一方が行われる開口を有する開口部と、複数のユニット取付部と、前記ユニット取付部のいずれか１つに着脱自在に取り付けられ、前記紙葉類を収納する収納ユニットと、前記ユニット取付部のいずれか１つに着脱自在に取り付けられ、前記紙葉類を搬送する搬送路ユニットと、前記開口と前記収納ユニットとの間における前記搬送路ユニットを介した前記紙葉類の搬送を制御する制御部と、を備える。
【００１０】
また、本発明に係る搬送路ユニットは、紙葉類処理装置のユニット取付部に着脱自在に取り付けられる搬送路ユニットであって、紙葉類が通過する複数の通過口を有する筐体と、複数の前記通過口を接続する搬送路と、を有する。
【発明の効果】
【００１１】
本発明によれば、紙葉類処理装置の使用環境の変化に応じて、紙葉類処理装置の構成を柔軟に変更することができる。
【図面の簡単な説明】
【００１２】
【図１】本発明の第１の実施形態に係る紙葉類処理装置の構造を示す模式図である。
【図２】ユニット取付部に取り付けられるユニットの構成を変更した紙葉類処理装置の構造を示す模式図である。
【図３】本発明の第２の実施形態に係る紙葉類処理装置の構造を示す模式図である。
【図４】本発明の第３の実施形態に係る紙葉類処理装置の構造を示す模式図である。
【図５】本発明の第４の実施形態に係る紙葉類処理装置の構造を示す模式図である。
【図６】搬送路ユニットの変形例を示す模式図である。
【図７】搬送路ユニットの他の変形例を示す模式図である。
【図８】本発明の第５の実施形態に係る紙葉類処理装置の構造を示す模式図である。
【図９】本発明の第５の実施形態に係る紙葉類処理装置に第２搬送路ユニットを取り付けた状態を示す模式図である。
【図１０】本発明の第６の実施形態に係る紙葉類処理装置の構造を示す模式図である。
【図１１】図１０に示される紙葉類処理装置の変形例である。
【発明を実施するための形態】
【００１３】
以下、本発明について、図面を参照しながら詳細に説明する。なお、以下の説明において、紙葉類処理装置の「前」とは、紙葉類の投入及び排出の少なくとも一方の操作を開口部を介して行う操作者側を意味し、紙葉類処理装置の「後」とは、その反対側を意味する。また、紙葉類処理装置の「左」とは、前記操作者から見て左側を意味し、紙葉類処理装置の「右」とは、前記操作者からみて右側を意味する。
【００１４】
また、「正常紙幣」とは、後述する識別部によって識別できた真正な紙幣をいい、「リジェクト紙幣」とは、所定の処理で処理対象とできない紙幣をいう。例えば、入金処理において、識別部で識別不能な紙幣や、識別部によって識別されたが入金を許可された金種ではない紙幣や、識別部によって識別されたが搬送異常により装置内に取り込むことができない紙幣などを「入金リジェクト紙幣」という。「正券」とは、正常紙幣のうち、汚れや破れ等が比較的少ない状態の紙幣をいい、「損券」とは、正常紙幣のうち、汚れや破れ等が比較的多い状態の紙幣をいう。
【００１５】
図１に本発明の第１の実施形態に係る紙葉類処理装置としての紙幣処理装置１を示す。図１において、左側が紙幣処理装置１の前方、右側が同後方である。
【００１６】
紙幣処理装置１は、紙葉類としての紙幣を入出金する紙幣入出金機である。紙幣処理装置１は、処理部１０及び処理部１０の下方に設けられた収納庫２０を備える。処理部１０は収納庫２０に対して前方に引き出し可能である。収納庫２０は処理部１０に対して前方に引き出し可能である。また、収納庫２０は処理部１０に対して後方に引き出し可能としてもよい。
【００１７】
処理部１０は上部筐体１１を有する。上部筐体１１の上部前方には、入金口（開口）１２１と出金口（開口）１３１が設けられている。上部筐体１１内には、搬送部１５、識別部１６、一時保留部１７及び制御部１８が配置されている。
【００１８】
入金口１２１の近傍には所定の周期で紙幣を１枚ずつ搬送部１５に繰り出す紙幣繰り出し機構（図示略）が配置されている。入金口１２１と紙幣繰り出し機構によって入金部１２が構成されている。
【００１９】
出金口１３１の近傍には、紙幣を積み重ねる集積機構（図示略）が配置されている。出金口１３１と集積機構によって出金部１３が構成されている。必要に応じて、出金部１３と同様の構成を有する第２出金部１４を出金部１３の隣に設けてもよい。
【００２０】
なお、処理部１０の上部前方には、必要に応じて入金部１２と出金部１３のいずれか一方のみが設けられていてもよい。また、処理部１０の上部前方には、紙幣の入金及び出金の両方が行われる開口が設けられるとともに、この開口の周囲に紙幣繰り出し機構及び集積機構が配置されることによって、入出金部が設けられていてもよい。これらの入金部１２、出金部１３及び入出金部が本発明における開口部に相当する。
【００２１】
搬送部１５は、紙幣を所定の搬送速度で搬送する。搬送部１５は、紙幣を搬送するベルト機構やローラ機構によって構成されている。搬送部１５は、紙幣を双方向に搬送可能とするループ状搬送路１５０と、このループ状搬送路１５０から分岐する第１分岐路１５１、第２分岐路１５２、第３分岐路１５３及び第４分岐路１５４を有している。第１分岐路１５１〜第４分岐路１５４は、それぞれ、ループ状搬送路１５０と入金部１２、出金部１３、一時保留部１７、及び、後述する収納ユニット３０又は搬送路ユニット４０とを接続する。なお、図１に示される紙幣処理装置１は、第４分岐路１５４を６つ有している。
【００２２】
識別部１６は、画像センサ、光学センサ、磁気センサ等のセンサを備えており、搬送部１５で搬送される紙幣の真偽、金種、正損等を識別する。
【００２３】
一時保留部１７は、紙幣を一時的に保留する。一時保留部１７は、紙幣を１枚ずつ取り込んで収納し、収納している紙幣を１枚ずつ繰り出す。一時保留部１７は、例えば、複数の紙葉類が回転体に巻き取られた状態で収納される巻き取り式の収納部で構成することができる。
【００２４】
制御部１８は、少なくともＣＰＵとメモリを備えている。制御部１８は、搬送部１５及び搬送路ユニット４０を介して、入金部１２、出金部１３、一時保留部１７及び収納ユニット３０の間で紙幣が搬送されるように、紙幣処理装置１を構成する各部を制御する。
【００２５】
収納庫２０は下部筐体２１を有する。下部筐体２１には、６つのユニット取付部が設けられている。各ユニット取付部は、１つの収納ユニット３０又は１つの搬送路ユニット４０を保持する構造であればよい。例えば、各ユニット取付部は、それぞれ、一対の取付部２２を有する。一対の取付部２２は、下部筐体２１の左右内面それぞれに１つずつ設けられている。下部筐体２１に６つのユニット取付部が設けられる場合は、下部筐体２１の左右内面それぞれに、取付部２２が６つずつ設けられる。
【００２６】
図１に示される紙幣処理装置１においては、前方から順に、第１収納ユニット３１、搬送路ユニット４０、第１収納ユニット３１、及び、３つの第２収納ユニット３２が配置されている。なお、第１収納ユニット３１及び第２収納ユニット３２はいずれも収納ユニット３０の一形態である。
【００２７】
第１収納ユニット３１、第２収納ユニット３２及び搬送路ユニット４０の各筐体は、いずれも、各ユニットが取付部２２に取り付けられた場合に左右を向く一対の側面のそれぞれに、被取付部５０を有している。
【００２８】
取付部２２と被取付部５０が連携することによって、各ユニットは下部筐体２１内に保持される。取付部２２及び被取付部５０は、２つの部材を着脱自在とする公知の機構の中から任意のものを採用することができる。例えば、鉛直方向に延在する棒状の被ガイド部材で被取付部５０を構成することができる。また、この被ガイド部材を前後から挟み込むように案内及び位置決めする一対のガイドレールを有する部材で取付部２２を構成することができる。なお、図１には、取付部２２に関しては、下部筐体２１の右内面後端部に設けられた取付部２２のみが示されており、被取付部５０に関しては、後端部に配置される収納ユニット３０の右側面に設けられた被取付部５０のみが示されている。
【００２９】
第１収納ユニット３１は、全体形状が略直方体である第１収納ユニット筐体３１１を有している。第１収納ユニット筐体３１１内には、２つの収納領域Ｓが設けられている。これら２つの収納領域Ｓは、複数の紙葉類が積層状態で収納される積層式の収納領域、又は、複数の紙葉類が回転体に巻き取られた状態で収納される巻き取り式の収納領域である。ユニット取付部に取り付けられた場合に前方又は後方を向く第１収納ユニット筐体３１１の一側面には、２つの収納領域それぞれにつながる２つの出入口３４が設けられている。第１収納ユニット３１は、第１収納ユニット筐体３１１の２つの出入口３４が設けられた面を紙幣処理装置１の前向きとした状態でも後ろ向きとした状態でもユニット取付部に取り付けることができるように構成されている。
【００３０】
第２収納ユニット３２は、全体形状が略直方体である第２収納ユニット筐体３２１を有している。第２収納ユニット筐体３２１内には、１つの収納領域Ｓが設けられている。この収納領域は、複数の紙葉類が積層状態で収納される積層式の収納領域である。第２収納ユニット筐体３２１の上面には、収納領域Ｓにつながる１つの出入口３４が設けられている。
【００３１】
搬送路ユニット４０は、全体形状が略直方体である搬送路ユニット筐体４１と、搬送路ユニット筐体４１内に設けられた４つの分岐部４３１を有する搬送路４３とを有している。搬送路ユニット筐体４１の上面と下面には１つずつ通過口４２が設けられている。また、搬送路ユニット４０がユニット取付部に取り付けられた場合に前方又は後方を向く一対の側面のそれぞれには、通過口４２が２つずつ設けられている。搬送路４３は、これら６つの通過口４２を接続している。
【００３２】
搬送路ユニット筐体４１の上面に設けられた通過口４２を介して、前方から２番目の第４分岐路１５４と搬送路４３とが接続されている。また、搬送路ユニット筐体４１の側面に設けられた通過口４２と、第１収納ユニット筐体３１１の側面に設けられた出入口３４とを介して、搬送路４３と、２つの第１収納ユニット３１がそれぞれ２つずつ有する計４つの収納領域Ｓとが接続されている。
【００３３】
前方から４番目の第４分岐路１５４は、前方から４番目に配置されている第２収納ユニット３２の出入口３４を介して、当該第２収納ユニット３２内の収納領域Ｓと接続されている。前方から５番目及び６番目の第４分岐路１５４も同様に、それぞれ前方から５番目及び６番目に配置されている第２収納ユニット３２内の収納領域Ｓと接続されている。
【００３４】
以上の説明から明らかなように、本実施形態に係る紙幣処理装置１は、計７つの収納領域Ｓを有している。よって、識別部１６で紙幣を識別することによって真偽、正損又は金種等に応じて紙幣を７種類に分類し、種類別に割り当てられた収納領域Ｓに分別して収納することができる。出金部１３や一時保留部１７を利用することで更に多種類に紙幣を分類して収納することも勿論可能である。
【００３５】
続いて、本実施形態に係る紙幣処理装置１における収納領域数の増加手段について説明する。収納領域数の増加は、例えば、流通する紙幣の種類が増えた場合に行われる。
【００３６】
まず、収納庫２０を処理部１０に対して一旦前方又は後方に引き出して収納庫２０の上部を開放する。次に、３つの第２収納ユニット３２をユニット取付部から取り外し、それらに代えて、前方から順に第１収納ユニット３１、搬送路ユニット４０及び第１収納ユニット３１をユニット取付部に取り付ける。続いて、収納庫２０を処理部１０の下方に位置するように押し戻す。このときの紙幣処理装置１の状態を図２に示す。なお、ユニット取付部の取付部２２と被取付部５０は図示を省略する。
【００３７】
図２に示されるように、紙幣処理装置１は計８つの収納領域Ｓを有している。よって、識別部１６で紙幣を識別することによって真偽、正損又は金種等に応じて紙幣を８種類に分類し、種類別に割り当てられた収納領域Ｓに分別して収納することができる。
【００３８】
このように、本実施形態に係る紙幣処理装置１によれば、流通する紙幣の種類の増加等、紙幣処理装置の使用環境の変化に応じて、紙幣処理装置の構成を柔軟に変更することができる。
【００３９】
なお、本実施形態に係る紙幣処理装置１においては、前方から２番目の位置に搬送路ユニット４０が設置されているが、搬送路ユニット４０の位置を、前方から１番目〜６番目の任意の位置にすることができることは勿論である。
【００４０】
また、すべてのユニット取付部に収納ユニット３０が取り付けられてもよい。具体的には、すべてのユニット取付部に第２収納ユニット３２が取り付けられ、それぞれの第２収納ユニット３２の出入口３４を介して、当該第２収納ユニット３２内の収納領域Ｓと第４分岐路１５４が接続されるようにしてもよい。
【００４１】
続いて、図３に本発明の第２の実施形態に係る紙葉類処理装置としての紙幣処理装置１を示す。図３において、左側が紙幣処理装置１の前方、右側が同後方である。
【００４２】
本実施形態における紙幣処理装置１においては、第２収納庫６０が収納庫２０の下に設けられている。第２収納庫６０の中には回収部６１が配置されている。回収部６１は回収される紙幣が収納される収納領域Ｓを有する。また、搬送路ユニット筐体４１の下面に設けられた通過口４２と、回収部６１の上面に設けられた出入口３４とを介して、搬送路４３と、回収部６１が有する収納領域Ｓとが接続されている。
【００４３】
制御部１８は、搬送部１５及び搬送路ユニット４０を介して、入金部１２、出金部１３、一時保留部１７、第１収納ユニット３１、第２収納ユニット３２及び回収部６１の間で紙幣が搬送されるように、紙幣処理装置１を構成する各部を制御する。その他の構成は先の実施形態と同様である。
【００４４】
本実施形態における紙幣処理装置１によれば、入金部１２から入金された紙幣や収納ユニット３０内に収納された紙幣のうち、回収すべき紙幣を、搬送路ユニット４０を介して回収部６１に集積させ、回収することができる。
【００４５】
また、本実施形態における紙幣処理装置１においても、収納ユニット３０及び搬送路ユニット４０の構成を変更することによって、収納領域の数を容易に変更することができる。
【００４６】
図４に本発明の第３の実施形態に係る紙葉類処理装置としての紙幣処理装置１を示す。図４において、左側が紙幣処理装置１の前方、右側が同後方である。
【００４７】
本実施形態における紙幣処理装置１は、第４分岐路１５４を１つ有している。また、下部筐体２１内には、ユニット取付部の取付部２２が４対設けられている。４対の取付部２２には、前方から順に、第２収納ユニット３２、搬送路ユニット４０、搬送路ユニット４０及び第２収納ユニット３２が配置されている。なお、図４には、取付部２２に関しては、下部筐体２１の右内面後端に設けられた取付部２２のみが模式的に示されており、被取付部５０に関しては、後端に配置される収納ユニット３０の右側面に設けられた被取付部５０のみが模式的に示されている。
【００４８】
また、前方のユニット取付部と、後方のユニット取付部との間に、巻き取り式収納領域を有する４つの収納部６２が配置されている。
【００４９】
本実施形態においては、処理部１０内の搬送部１５と、収納庫２０の内部とは、１つの第４分岐路１５４のみで接続されている。すなわち、本実施形態においては、搬送部１５と収納ユニット３０との接続部がない。よって、処理部１０と収納庫２０とを相対移動させた際に、第４分岐路１５４でずれが生じる可能性を低く抑えることができ、ひいては処理部１０と収納庫２０との間で行き来する紙幣がジャムを起こす可能性を低く抑えることができる。
【００５０】
また、本実施形態における紙幣処理装置１においても、１つ又は２つの第２収納ユニット３２を、１つ又は２つの第１収納ユニット３１と交換することによって、収納領域の数を容易に増加させることができる。
【００５１】
次に、図５に本発明の第４の実施形態に係る紙葉類処理装置としての紙幣処理装置１を示す。図５において、左側が紙幣処理装置１の前方、右側が同後方である。
【００５２】
本実施形態は、図４に示される第３の実施形態と比較して、４つの収納部６２に代えて、２つのユニット取付部（図示略）が設けられるとともに、当該２つのユニット取付部に２つの収納ユニット３０が取り付けられている点が相違する。
【００５３】
この２つの収納ユニット３０としては、第３収納ユニット３３が取り付けられている。第３収納ユニット３３は、全体形状が略直方体である第３収納ユニット筐体３３１を有している。第３収納ユニット筐体３３１内には、２つの収納領域Ｓが設けられている。これら２つの収納領域Ｓはいずれも、複数の紙葉類が回転体に巻き取られた状態で収納される巻き取り式の収納領域である。第３収納ユニット筐体３３１の対向する１対の側面それぞれには、出入口３４が１つずつ設けられている。第３収納ユニット筐体３３１内には横断路３３２が設けられている。横断路３３２は、２つの出入口３４と２つの収納領域Ｓを接続する。
【００５４】
本実施形態に係る紙幣処理装置１によれば、図４に示される実施形態と同様に、第４分岐路１５４と搬送路ユニット４０との連結部分が１箇所しかなく、第４分岐路１５４と収納ユニット３０との連結部分がないので、処理部１０と収納庫２０との間で行き来する紙幣がジャムを起こす可能性を低く抑えることができる。更に、第４分岐路１５４に対応するユニット取付部には搬送路ユニット４０を取り付ける必要があるものの、その他のユニット取付部には第１収納ユニット３１、第２収納ユニット３２、第３収納ユニット３３又は搬送路ユニット４０を適宜選択して取り付けることが可能である。よって、紙幣処理装置の使用環境の変化に応じて、紙幣処理装置の構成を柔軟に変更することができる。
【００５５】
なお、搬送路ユニットは、上記各実施形態で使用されるものには限られない。例えば、図６（Ａ）に示されるような、２つの通過口４２と、これら２つの通過口４２を接続する搬送路４３とを有する搬送路ユニット４０であってもよい。また、図６（Ｂ）に示されるような、３つの通過口４２と、これら３つの通過口４２を接続するとともに１つの分岐部４３１を有する搬送路４３とを有する搬送路ユニット４０であってもよい。また、図６（Ｃ）に示されるような、４つの通過口４２とこれら４つの通過口４２を接続するとともに２つの分岐部４３１を有する搬送路４３とを有する搬送路ユニット４０であってもよい。
【００５６】
搬送路４３が有する分岐部４３１は、紙幣の搬送先を２つに分けるものには限られず、３つ以上に分けるものであってもよい。よって、搬送路ユニット４０は、例えば図６（Ｄ）に示されるような、４つの通過口４２と、分岐部４３１を１つ有してこれら４つの通過口４２を接続する搬送路４３とを有していてもよい。
【００５７】
更に、搬送路ユニット４０は、図７に示されるように、搬送路ユニット筐体４１の内部に、紙幣を収納する収納領域Ｓを有していてもよい。この場合、搬送路４３から分岐したユニット内分岐路４３２を介して収納領域Ｓに紙幣を搬送し、ここに紙幣を収納することができる。このように搬送路ユニット４０を構成することで、紙幣処理装置１が備える紙幣の収納領域の数を増やすことができ、紙幣処理装置の使用環境の変化により柔軟に対応することができる。第２の実施形態では、搬送路ユニット４０の下面の通過口４２は第２収納庫６０に接続されているが、第１の実施形態や第３の実施形態では、搬送路ユニット４０の下面の通過口４２は外部の収納庫等に接続されていない。そのため、搬送路ユニット４０の下部が不用な空間となっており、この空間に収納領域Ｓを設けることで、装置を大型化することなく紙幣の収納領域を増やすことができる。
【００５８】
なお、この収納領域Ｓは、複数の紙葉類が積層状態で収納される積層式の収納領域、又は、複数の紙葉類が回転体に巻き取られた状態で収納される巻き取り式の収納領域とすることができる。また、この収納領域Ｓは、紙幣を収納するが繰り出しはしない収納領域とすることもできる。また、この収納領域Ｓは、鍵付きの収納領域とし、他の収納領域とはアクセス権限の異なる領域とすることもできる。また、この収納領域Ｓを設けた搬送路ユニット４０を下部筐体２１から取り外す時に解錠が必要な構造とし、この収納領域Ｓを、他の収納領域とはアクセス権限の異なる領域とすることもできる。このような収納領域Ｓは、例えば、偽造券の疑いがある紙幣などの特定の紙幣の収納領域として利用される。
【００５９】
続いて、図８に本発明の第５の実施形態に係る紙葉類処理装置としての紙幣処理装置１を示す。図６において、左側が紙幣処理装置１の前方、右側が同後方である。
【００６０】
本実施形態は、図１に示される第１の実施形態と比較して、一時保留部１７が一時保留部ユニット７０に置き換えられている点が相違する。一時保留部ユニット７０は第３分岐路１５３に接続される出入口３４を有する。
【００６１】
一時保留部ユニット７０は、図９に示されるように、第２搬送路ユニット７１に交換することが可能である。第２搬送路ユニット７１は、２つの通過口４２と、これらを接続する搬送路４３を有する。
【００６２】
一時保留部ユニット７０及び第２搬送路ユニット７１は、第２ユニット取付部（図示略）に取り付けられる。例えば、第２ユニット取付部は、一対の第２取付部（図示略）を有する。一対の第２取付部は、上部筐体１１の左右内面それぞれに１つずつ設けられている。また、一時保留部ユニット７０及び第２搬送路ユニット７１は、それらの筐体の左右両側面に第２被取付部（図示略）を有する。第２取付部及び第２被取付部は、２つの部材を着脱自在とする公知の機構の中から任意のものを採用することができる。
【００６３】
本実施形態に係る紙幣処理装置１においては、紙幣処理装置１の前方側に、出入口３４を有するカセット式収納部７２を着脱自在に取り付けることが可能である。また、取り付けられたカセット式収納部７２は、第２ユニット取付部に取り付けられた第２搬送路ユニット７１、及び、第３分岐路１５３を介して搬送部１５と接続される。カセット式収納部７２は、外部に露出した状態で紙幣処理装置１に取り付けられるようにしてもよい。また、収納庫２０の前面にカバーを設け、カバーの内側にカセット式収納部７２を取り付けるようにしてもよい。また、一時保留部ユニット７０を、処理部１０の後方側に設け、第２搬送路ユニット７１に交換できるようにしてもよい。この場合は、紙幣処理装置１の後方側にカセット式収納部７２を着脱自在に取り付けるようにできる。
【００６４】
本実施形態に係る紙幣処理装置１によれば、通常時は、第２ユニット取付部に一時保留部ユニット７０を取り付けておき、図１に示される第１実施形態に係る紙幣処理装置１と同様に使用することができる。また、一時保留部ユニット７０に代えて第２搬送路ユニット７１を取り付けることによって、カセット式収納部７２から収納ユニット３０内に紙幣を補充したり、収納ユニット３０からカセット式収納部７２内に紙幣を回収したりすることができる。よって、紙幣処理装置１の使用環境の変化に柔軟に対応することができる。
【００６５】
次に、図１０に本発明の第６の実施形態に係る紙葉類処理装置としての紙幣処理装置１を示す。図１０において、左側が紙幣処理装置１の前方、右側が同後方である。
【００６６】
本実施形態においては、処理部１０の前後方向の長さは、収納庫２０の前後方向長さよりも短い。また、搬送部１５は２つの第４分岐路１５４を有している。
【００６７】
また、収納庫２０の下部筐体２１内には、２つの第４分岐路１５４に対応する位置それぞれにユニット取付部（図示略）が設けられている。また、ユニット取付部の後方に、巻き取り式収納領域を有する８つの収納部６２が配置されている。ユニット取付部には前方から順に、第２収納ユニット３２及び搬送路ユニット４０が配置されている。第２収納ユニット３２は一方の第４分岐路１５４に接続されている。搬送路ユニット４０は他方の第４分岐路１５４、及び、８つの収納部６２に接続されている。
【００６８】
本実施形態においては、処理部１０の前後方向長さが短くなっている。よって、紙幣処理装置１の上方部分をコンパクトにすることができる。
【００６９】
また、処理部１０内の搬送部１５と、収納庫２０の内部とは、２つの第４分岐路１５４のみで接続されている。よって、処理部１０と収納庫２０とを相対移動させた際に、第４分岐路１５４でずれが生じる可能性を低く抑えることができ、ひいては処理部１０と収納庫２０との間で行き来する紙幣がジャムを起こす可能性を低く抑えることができる。
【００７０】
また、本実施形態における紙幣処理装置１においても、第２収納ユニット３２を第１収納ユニット３１と交換することにより、収納領域の数を容易に増加させることができる。
【００７１】
なお、本実施形態においては、第２収納ユニット３２を、回収される紙幣を収納する回収部として機能させることも可能である。その場合、下部筐体２１の前端側に施錠可能な収納庫扉を設けるとともに、前方のユニット取付部の構造を、前方側から第２収納ユニット３２を着脱できる構造としてもよい。そうすることにより、収納庫扉を開くだけで第２収納ユニット３２を着脱することが可能となるので、紙幣の回収が容易となる。
【００７２】
一方、第２収納ユニット３２が不要な場合、図１０に示される紙幣処理装置１においては、第２収納ユニット３２が配置されている分、紙幣処理装置１の内部に無駄なスペースが存在することとなる。この場合、図１１に示されるように収納庫２０を変更してもよい。図１１に示される収納庫２０は、図１０に示される収納庫２０と比較して、下部筐体２１の前後方向長さが短くなっているとともに、ユニット取付部の数が１つに減っている。図１１に示される紙幣処理装置１によれば、紙幣処理装置１の内部に無駄なスペースが形成されることが回避でき、装置の前後方向長さ（奥行き）を小さくすることができる。
【００７３】
言い換えると、図１０及び図１１に示される処理部１０は、収納庫２０がユニット取付部を有していれば、種々の前後方向長さを有する収納庫２０の間で共用することが可能である。
【００７４】
また、図１０及び図１１において、巻き取り式収納領域を有する収納部６２が配置されている全ての位置にユニット取付部を設け、収納部６２に代えて、図５で示したような第３収納ユニット３３を取り付けるようにしてもよい。これにより、図１０及び図１１に示される処理部１０、搬送路ユニット４０及び第３収納ユニット３３は、種々の前後方向長さを有する収納庫２０の間で共用することが可能である。
【００７５】
以上本発明の実施形態について説明したが、本発明は上記各実施形態に限定されるものではなく、本発明の趣旨を逸脱しない範囲で種々の変更が可能である。例えば、紙葉類処理装置は紙幣処理装置に限定されず、小切手や伝票などの紙や樹脂から作られたシート類を含む紙葉類を処理する装置であってもよい。
【産業上の利用可能性】
【００７６】
本発明を紙葉類を種類別に収納する紙葉類処理装置や、当該紙葉類処理装置で使用される搬送路ユニットに用いると、紙葉類処理装置をその使用環境の変化に柔軟に対応させることができるようになる。よって、本発明の産業上の利用可能性は多大である。
【符号の説明】
【００７７】
１  紙幣処理装置
１０  処理部
１１  上部筐体
１２  入金部
１２１  入金口（開口）
１３  出金部
１３１  出金口（開口）
１４  第２出金部
１５  搬送部
１５０  ループ状搬送路
１５１  第１分岐路
１５２  第２分岐路
１５３  第３分岐路
１５４  第４分岐路
１６  識別部
１７  一時保留部
１８  制御部
２０  収納庫
２１  下部筐体
２２  取付部
３０  収納ユニット
３１  第１収納ユニット
３１１  第１収納ユニット筐体
３２  第２収納ユニット
３２１  第２収納ユニット筐体
３３  第３収納ユニット
３３１  第３収納ユニット筐体
３３２  横断路
３４  出入口
４０  搬送路ユニット
４１  搬送路ユニット筐体
４２  通過口
４３  搬送路
４３１  分岐部
４３２  ユニット内分岐路
５０  被取付部
６０  第２収納庫
６１  回収部
６２  収納部
７０  一時保留部ユニット
７１  第２搬送路ユニット
７２  カセット式収納部
Ｓ  収納領域
【図１】
2018152028.tif 000003
【図２】
2018152028.tif 000004
【図３】
2018152028.tif 000005
【図４】
2018152028.tif 000006
【図５】
2018152028.tif 000007
【図６】
2018152028.tif 000008
【図７】
2018152028.tif 000009
【図８】
2018152028.tif 000010
【図９】
2018152028.tif 000011
【図１０】
2018152028.tif 000012
【図１１】
2018152028.tif 000013